(57)【要約】無線通信システムにおいて、第１のスクランブリング符号または第２のスクランブリング符号を使用して送信された信号の送信電力レベルは、インナーループ型の送信電力制御の中で調整される。ここに、品質測定値（５１）は繰り返し推定され、制御コマンドは品質測定値（５１）および品質測定の基準値（５６）から生成される。品質測定の基準値（５６）は、ある時間区間の間に受信された信号に対して算出された動作性能レベル（５２）に依存してアウターループ型の送信電力制御の中で調整される。第１の値（５４）は、第１のスクランブリング符号を使用して送信された信号を持つ時間区間に対する動作性能レベル（５２）に依存して調整され、このような時間区間の間に使用される。第２の値（５５）は、第２のスクランブリング符号を使用して送信された少なくともいくつかの信号を持つ時間区間に対する動作性能レベル（５２）に依存して調整され、このような時間区間の少なくとも一部の間に使用される。
2009533913.tif 000002
【特許請求の範囲】
【請求項１】
無線通信システムにおいて第１通信装置から第２通信装置へ送信される信号の送信電力レベルを制御する方法であって、該信号は、第１のスクランブリングコードと第２のスクランブリングコードとのうちの１つを使用して送信される信号であり、
●  インナーループ型の送信電力制御は、
○  前記第２通信装置において受信した信号についての品質測定値（５１）を繰り返し推定するステップと、
○  前記品質測定値（５１）と品質測定の基準値（５６）とに応じて、送信電力制御コマンドを生成するステップと、
○  前記送信電力制御コマンドを前記第１通信装置に送信するステップと、
○  前記第１通信装置において、前記送信電力制御コマンドに応じて前記送信電力レベルを調整するステップと
を含み、
●  アウターループ型の送信電力制御は、
○  時間区間にわたり前記第２通信装置において受信した信号について性能レベル（５２）を算出するステップと、
○  前記性能レベル（５２）に応じて前記品質測定の基準値（５６）を調整するステップと
を含み、
前記方法は、さらに、
●  前記アウターループ型の送信電力制御において、第１の品質測定の基準値と、第２の品質測定の基準値とを選択的に調整するステップであって、前記第１の品質測定の基準値（５４）を、すべて信号が前記第１のスクランブリングコードを使用して送信される時間区間について算出された性能レベルに基づいて調整し、前記第２の品質測定の基準値（５５）は、少なくともいくつか信号が前記第２のスクランブリングコードを使用して送信される時間区間について算出された性能レベルに基づいて調整するステップと、
●  前記送信電力制御コマンドを生成するステップにおける前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用するステップと
を含むことを特徴とする方法。
【請求項２】
無線通信システムにおいて少なくとも第１のスクランブリングコードと第２のスクランブリングコードとのうちの１つを使用し、遠隔の通信装置から送信された信号を受信する通信装置において、送信電力制御コマンドを生成する方法であって、
●  前記通信装置において受信した信号についての品質測定値（５１）を繰り返し推定するステップと、
●  前記品質測定値（５１）と品質測定の基準値（５６）とに応じて、送信電力制御コマンドを生成するステップと、
●  前記送信電力制御コマンドを前記遠隔の通信装置に送信するステップと、
●  時間区間にわたり前記通信装置において受信した信号について性能レベル（５２）を算出するステップと、
●  前記性能レベル（５２）に応じて前記品質測定の基準値（５６）を調整するステップと
を含み、
前記方法は、さらに、
●  第１の品質測定の基準値と、第２の品質測定の基準値とを選択的に調整するステップであって、前記第１の品質測定の基準値（５４）を、すべて信号が前記第１のスクランブリングコードを使用して送信される時間区間について算出された性能レベル（５２）に基づいて調整し、前記第２の品質測定の基準値（５５）は、少なくともいくつか信号が前記第２のスクランブリングコードを使用して送信される時間区間について算出された性能レベル（５２）に基づいて調整するステップと、
●  前記送信電力制御コマンドを生成するステップにおける前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用するステップと
を含むことを特徴とする方法。
【請求項３】
前記信号は、広帯域符号分割多元接続方式を使用して送信された信号である
ことを特徴とする請求項１または２に記載の方法。
【請求項４】
前記品質測定値は、信号対干渉比として推定された値である
ことを特徴とする請求項３に記載の方法。
【請求項５】
前記性能レベルはブロックエラーレートとして算出された値である
ことを特徴とする請求項３または４に記載の方法。
【請求項６】
前記第１のスクランブリングコードは、プライマリスクランブリングコードであり、
前記第２のスクランブリングコードは、セカンダリスクランブリングコードである
ことを特徴とする請求項３ないし５のいずれか１項に記載の方法。
【請求項７】
前記第１のスクランブリングコードは、プライマリスクランブリングコード及びセカンダリスクランブリングコードのいずれかであり、
前記第２のスクランブリングコードは、代替スクランブリングコードである
ことを特徴とする請求項３ないし５のいずれか１項に記載の方法。
【請求項８】
前記時間区間は、複数のフレームを含む送信時間間隔（ＴＴＩ）であり、
前記送信時間間隔（ＴＴＩ）のそれぞれは、少なくともいくつかの信号が前記第２のスクランブリングコードを使用して送信される時間区間であり、前記代替スクランブリングコードを使用して圧縮モードによって前記信号が送信される少なくとも１つのフレームを含む
ことを特徴とする請求項７に記載の方法。
【請求項９】
いくつかの信号が前記第２のスクランブリングコードを使用して送信される送信時間間隔（ＴＴＩ）に含まれるすべてのフレームにおける品質測定基準値として、前記第２の品質測定の基準値（５５）が使用される
ことを特徴とする請求項８に記載の方法。
【請求項１０】
いくつかの信号が前記第２のスクランブリングコードを使用して送信される送信時間間隔（ＴＴＩ）に含まれる、圧縮モードが適用されたフレームにおける品質測定基準値として、前記第２の品質測定の基準値（５５）が使用され、
前記第１の品質測定の基準値（５４）は、該送信時間間隔（ＴＴＩ）に含まれる他のフレームの品質測定基準値として使用される
ことを特徴とする請求項８に記載の方法。
【請求項１１】
●  前記第２の品質測定の基準値に加えて、前記第２のスクランブリングコードを使用して少なくともいくつかの信号が送信される時間区間について算出された性能レベル（５２）に応じた少なくとも１つの他の品質測定の基準値を調整するステップであって、前記第２のスクランブリングコードを使用して送信された信号の量に応じて該第２の品質測定の基準値と該少なくとも１つの他の品質測定の基準値とのうちの少なくとも１つを調整するステップと、
●  前記送信電力制御コマンドを送信するステップにおいて前記品質測定の基準値として、前記第２のスクランブリングコードを使用して少なくともいくつかの信号が送信される時間区間の少なくとも一部において、前記第２のスクランブリングコードを使用して送信された信号の量に応じた前記第２の品質測定の基準値と前記少なくとも１つの他の品質測定の基準値とのうちの１つを使用するステップと
を含むことを特徴とする請求項１ないし１０のいずれか１項に記載の方法。
【請求項１２】
無線通信システムにおいて少なくとも第１のスクランブリングコードと第２のスクランブリングコードとのうちの１つを使用し、遠隔の通信装置から送信された信号を受信する通信装置であって、
送信電力制御コマンドを生成する制御装置（４０）を備え、
前記制御装置は、
●  前記通信装置において受信した信号についての品質測定値（５１）を繰り返し推定する推定手段（２３）と、
●  前記品質測定値（５１）と品質測定の基準値（５６）とに応じて、送信電力制御コマンドを生成する生成手段（２４）と、
●  前記送信電力制御コマンドを前記遠隔の通信装置に送信する送信手段（１６）と、
●  時間区間にわたり前記通信装置において受信した信号について性能レベル（５２）を算出する算出手段（２５）と、
●  前記性能レベル（５２）に応じて前記品質測定の基準値（５６）を調整する調整手段（４６）と
を含み、
●  前記調整手段（４６）は、第１の品質測定の基準値と、第２の品質測定の基準値とを選択的に調整する手段であって、前記第１の品質測定の基準値（５４）を、すべて信号が前記第１のスクランブリングコードを使用して送信される時間区間について算出された性能レベル（５２）に基づいて調整し、前記第２の品質測定の基準値（５５）は、少なくともいくつか信号が前記第２のスクランブリングコードを使用して送信される時間区間について算出された性能レベル（５２）に基づいて調整する手段であり、
●  前記生成手段（２４）は、前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用する手段である
ことを特徴とする通信装置。
【請求項１３】
前記通信装置は、
広帯域符号分割多元接続方式を使用して送信された信号を受信するように構成されている
ことを特徴とする請求項１２に記載の通信装置。
【請求項１４】
前記推定手段（２３）は、
信号対干渉比として前記品質測定値を推定するように構成されている
ことを特徴とする請求項１３に記載の通信装置。
【請求項１５】
前記算出手段（２５）は、
前記性能レベルを、ブロックエラーレートとして算出するように構成されている
ことを特徴とする請求項１３または１４に記載の通信装置。
【請求項１６】
前記第１のスクランブリングコードは、プライマリスクランブリングコードであり、
前記第２のスクランブリングコードは、セカンダリスクランブリングコードである
ことを特徴とする請求項１３ないし１５のいずれか１項に記載の通信装置。
【請求項１７】
前記第１のスクランブリングコードは、プライマリスクランブリングコード及びセカンダリスクランブリングコードのいずれかであり、
前記第２のスクランブリングコードは、代替スクランブリングコードである
ことを特徴とする請求項１３ないし１５のいずれか１項に記載の通信装置。
【請求項１８】
前記時間区間は、複数のフレームを含む送信時間間隔（ＴＴＩ）であり、
前記送信時間間隔（ＴＴＩ）のそれぞれは、少なくともいくつかの信号が前記第２のスクランブリングコードを使用して送信される時間区間であり、前記代替スクランブリングコードを使用して圧縮モードによって前記信号が送信される少なくとも１つのフレームを含む
ことを特徴とする請求項１７に記載の通信装置。
【請求項１９】
前記生成手段（２４）は、
いくつかの信号が前記第２のスクランブリングコードを使用して送信される送信時間間隔（ＴＴＩ）に含まれるすべてのフレームにおける品質測定の基準値として、前記第２の品質測定の基準値（５５）を使用するように構成されている
ことを特徴とする請求項１８に記載の通信装置。
【請求項２０】
前記生成手段（２４）は、
いくつかの信号が前記第２のスクランブリングコードを使用して送信される送信時間間隔（ＴＴＩ）に含まれる、圧縮モードが適用されたフレームにおける品質測定基準値として、前記第２の品質測定の基準値（５５）を使用し、
該送信時間間隔（ＴＴＩ）に含まれる他のフレームの品質測定基準値として、前記第１の品質測定の基準値（５４）を使用するように構成されている
ことを特徴とする請求項１８に記載の通信装置。
【請求項２１】
●  前記調整手段（４６）は、前記第２の品質測定の基準値（５５）に加えて、前記第２のスクランブリングコードを使用して少なくともいくつかの信号が送信される時間区間について算出された性能レベル（５２）に応じた少なくとも１つの他の品質測定の基準値を調整するように構成されており、かつ、前記第２のスクランブリングコードを使用して送信された信号の量に応じて該第２の品質測定の基準値と該少なくとも１つの他の品質測定の基準値とのうちの少なくとも１つを調整するように構成されており、
●  前記生成手段（２４）は、前記品質測定の基準値（５６）として、前記第２のスクランブリングコードを使用して少なくともいくつかの信号が送信される時間区間の少なくとも一部において、前記第２のスクランブリングコードを使用して送信された信号の量に応じた前記第２の品質測定の基準値と前記少なくとも１つの他の品質測定の基準値とのうちの１つを使用するように構成されている
ことを特徴とする請求項１２ないし２０のいずれか１項に記載の通信装置。
【請求項２２】
コンピュータプログラムであって、
請求項１ないし１１のいずれか１項に記載の方法をコンピュータに実行させることを特徴とするコンピュータプログラム。
【請求項２３】
コンピュータ可読記憶媒体であって、
請求項１ないし１１のいずれか１項に記載の方法をコンピュータに実行させるコンピュータプログラムを記憶したことを特徴とするコンピュータ可読記憶媒体。
【発明の詳細な説明】
【技術分野】
【０００１】
本発明は、無線通信システムにおける第１のトランシーバから第２のトランシーバに送信される信号の送信電力レベルを制御するための方法に関する。ここに、前記信号は、第１のスクランブリング符号および第２のスクランブリング符号の内の少なくとも１つを使用して送信される。本方法は、インナー送信電力制御ループ（インナーループ型送信電力制御）において、第２のトランシーバで受信された信号に対する品質測定値を繰り返し推定するステップと、前記品質測定値と品質測定の基準値とに依存して送信電力制御コマンドを生成するステップと、送信電力制御コマンドを第１のトランシーバに送信するステップと、送信電力制御コマンドに依存して第１のトランシーバにおいて前記送信電力レベルを調整するステップと、および、アウター送信電力制御ループ（アウターループ型送信電力制御）において、ある時間区間の間に第２のトランシーバにおいて受信した信号に対する動作性能レベルを算出するステップと、前記動作性能レベルに依存して前記品質測定の基準値を調整するステップとを備える。本発明はさらに、無線通信システムにおいて遠隔トランシーバから送信された信号を受信するためのトランシーバの中で送信電力制御コマンドを生成する方法と、無線通信システムにおいて遠隔トランシーバからの信号を受信するためのトランシーバと、対応するコンピュータプログラムおよびコンピュータ可読記憶媒体とに関する。
【背景技術】
【０００２】
無線通信システムにおいては、送信機と受信機との間の物理チャネルは、典型的に無線リンクによって形成される。１例として、送信機は基地局であり、受信機は移動局である。またその逆でもよい。その場合、基地局は典型的に無線通信システムにおけるセルに対応する。送信アンテナは、受信機に向かって鋭く指向性が向けられているわけではないので、送信信号は複数の伝搬路（パス）を通して伝搬する可能性がある。送信機から受信機への可能な直接パスに加えて、周囲の対象物からの反射によって生ずる多くの他の伝搬パスが存在する。従って、信号の種々の異なる部分が、建物、移動している車両、または地形の細部等の種々の対象物から反射されるので、受信機は異なる時間に、すなわち、異なる遅延でもって、複数の同じ信号を受信する可能性がある。基地局と移動端末との間の無線リンクは双方向リンクである。すなわち、情報は基地局から移動端末に送信される（ダウンリンク）と同時に、移動端末から基地局に送信される（アップリンク）。
【０００３】
多くの伝送システムでは、すべてのマルチパス要素からのデータシンボルエネルギーを合成する受信機を使用することにより、マルチパス伝搬とフェーディングの影響を低減することが試みられている。符号分割多元接続（ＣＤＭＡ）システムおよび広帯域符号分割多元接続（ＷＣＤＭＡ）システムでは、例えばＲＡＫＥ受信機等を使用することにより、受信信号の異なる部分のエネルギーを受信機の中で利用することができる。
【０００４】
これらの無線通信システムでは、拡散と逆拡散が使用される。データは、スペクトラム拡散変調技術を使用して送信機側から送信される。ここでは、データは広い範囲の周波数にわたって拡散される。それぞれのチャネルの拡散処理は、チャネライゼーション（チャネル分離）処理とそれに続くスクランブリング処理を含む。チャネライゼーション処理では、それぞれのデータシンボルが、１と０の２進系列からなるチャネライゼーション符号を乗算することによって、多くのいわゆるチップに変換される。１データシンボルに対するチップの数は拡散率（ＳＦ、ｓｐｒｅａｄｉｎｇ  ｆａｃｔｏｒ）と呼ばれる。チャネライゼーション符号は、通常、拡散率が５１２までの直交可変拡散率（ＯＶＳＦ、Ｏｒｔｈｏｇｏｎａｌ  Ｖａｒｉａｂｌｅ  Ｓｐｒｅａｄｉｎｇ  Ｆａｃｔｏｒ）である。ＯＶＳＦスキームは１種の符号ツリーであり、ツリーの中のそれぞれのレベルは、互いに直交した１組の符号で、所与の拡散率に対応している。スクランブリング処理では、チップに疑似雑音符号である複素数のスクランブリング符号を乗算することにより、チップの拡散系列はスクランブルされる。スクランブリング符号は、主に基地局またはセルを互いに分離するために使用されるが、チャネライゼーション符号は、それぞれのセルの中の異なる物理チャネル（端末またはユーザ）を分離するために使用される。受信機では、同じ符号を使用して逆拡散と復調が行われ、送信されたデータが復号される。
【０００５】
ＷＣＤＭＡシステムのタイミング構成では、チップは送信時間区間（ＴＴＩ、Ｔｒａｎｓｍｉｓｓｉｏｎ  Ｔｉｍｅ  Ｉｎｔｅｒｖａｌ）の中で送信され、それぞれのＴＴＩは１ないし８個の無線フレームから成っている。それぞれの無線フレームは、１０ｍｓの継続時間を有し、１５のスロットに分けられている。１スロットは２５６０チップを含む。従って、１つのＴＴＩは、１５ないし１２０のスロットを含むことができる。ＴＴＩは、送信されるべき情報に依存して可変の継続時間を持つ多くの転送ブロック（ＴＢ、Ｔｒａｎｓｐｏｒｔ  Ｂｌｏｃｋ）に分割される。
【０００６】
ダウンリンク送信に対しては、使用可能なスクランブリング符号は、１つのプライマリスクランブリング符号と、対応する１５個のセカンダリスクランブリング符号とによるいくつかのセット（組）に分けられる。システムのそれぞれのセルには、１つのプライマリスクランブリング符号と対応する１５個のセカンダリスクランブリング符号とが割り当てられる。セルの中の送信機と受信機との間の所与のリンクにおける、共通パイロットチャネル（ＣＰＩＣＨ、Ｃｏｍｍｏｎ  Ｐｉｌｏｔ  Ｃｈａｎｎｅｌ）等のいくつかの物理チャネルは、常に、そのセルに割り当てられたプライマリスクランブリング符号を使用して送信される。一方、専用物理チャネル（ＤＰＣＨ、Ｄｅｄｉｃａｔｅｄ  Ｐｈｙｓｉｃａｌ  Ｃｈａｎｎｅｌ）等の他の物理チャネルは、プライマリスクランブリング符号、または対応するセカンダリスクランブリング符号の内の１つを使用して送信することができる。すなわち、このセカンダリスクランブリング符号は、セルに割り当てられたプライマリスクランブリング符号に関連した組に含まれている１つのセカンダリスクランブリング符号である。従って、これらの物理チャネルでは、いくつかの無線フレームがプライマリスクランブリング符号を使用して送信され、他の無線フレームはセカンダリスクランブリング符号を使用して送信されるので、プライマリスクランブリング符号と、１５個のセカンダリスクランブリング符号の内の１つとの間にシフト（ずれ）が生ずるであろう。セカンダリスクランブリング符号は、送信機の送信容量にまだ余裕があるものの、チャネライゼーション符号ツリーがプライマリスクランブリング符号に対して満杯であるときに、例えばＤＰＣＨに対して使用することができる。
【０００７】
異なるスクランブリング符号間でのシフトの別の例は、移動局が、代替スクランブリング符号（ａｌｔｅｒｎａｔｉｖｅ  ｓｃｒａｍｂｌｉｎｇ  ｃｏｄｅ）を使用することができる圧縮モード（ｃｏｍｐｒｅｓｓｅｄ  ｍｏｄｅ）と呼ばれるモードに移行したときに生ずる。２つの代替スクランブリング符号は、プライマリスクランブリング符号およびセカンダリスクランブリング符号のそれぞれに関連づけられており、それらは圧縮モードの中で使用するように指定される。圧縮モードは、周波数間のハンドオーバを行う際に、異なる搬送波周波数の上での必要な測定を移動局が行うためにフレームのいくつかのスロットが割り当てられるときに生ずる。従って、圧縮フレームの中では、測定のために使用される送信ギャップのために、正常な送信に対しては、数の少ないスロットしか利用することができない。これを補償するため、拡散率を減少させることができる。しかし、拡散率の変化は、直交性を維持するために、符号ツリーの中のいくつかまたはすべてのチャネライゼーション符号の再割り当てを必要とする可能性が高い。この再割り当てを回避するために、送信機はその代わりに、異なる符号ツリーに対応する代替スクランブリング符号に切り替えることができる。スクランブリング符号の相関は雑音のようであり、チャネライゼーション符号の相関は、それらが異なるスクランブリング符号によるチャネライゼーション符号であれば、符号ツリーにおいて同じブランチ（枝）の下にあったとしても、相当程度低い値になる。
【０００８】
このような無線通信システムにおいては、チャネルの中の変動（伝搬遅延の効果およびフェーディングの効果等）を補償するために、および、システムにおけるすべてのユーザに対して許容できる伝送品質が維持できることを保証するために、送信電力制御が使用される。
【０００９】
典型的には、クローズド送信電力制御ループ（閉ループ型送信電力制御）が使用され、ここでは、受信信号に対する品質測定値を所与のターゲット値に維持するために、送信電力レベルが調整される。ＷＣＤＭＡに対するクローズド送信電力制御ループは、アップリンクまたはダウンリンクにおいて、典型的に、無線通信システムにおけるデバイスの受信機の中に、比較的速いインナー送信電力制御ループおよび比較的遅いアウター送信電力制御ループを形成する要素を備える。以下ではダウンリンク伝送を参照する。すなわち、基地局から移動端末またはユーザ装置（ＵＥ）への伝送であるが、同様の制御ループがアップリンク伝送に対しても使用される。
【００１０】
インナーループは１スロットに１回の割合で信号対干渉比（ＳＩＲ）値を算出し、それ（またはフィルタを通した値）をＳＩＲ基準値（ターゲットＳＩＲ）と比較する。もし推定されたＳＩＲ（推定ＳＩＲ）が基準値よりも小さければ、ユーザ装置は、アップリンクの専用物理制御チャネル（ＤＰＣＣＨ、Ｄｅｄｉｃａｔｅｄ  Ｐｈｙｓｉｃａｌ  Ｃｏｎｔｒｏｌ  Ｃｈａｎｎｅｌ）を介して、送信電力制御（ＴＰＣ、Ｔｒａｎｓｍｉｔ  Ｐｏｗｅｒ  Ｃｏｎｔｒｏｌ）コマンドを送信し、基地局にダウンリンクの専用物理チャネル（ＤＰＣＨ、Ｄｅｄｉｃａｔｅｄ  Ｐｈｙｓｉｃａｌ  Ｃｈａｎｎｅｌ）に対する送信電力の増加を要求するであろう。一方、推定ＳＩＲが基準値よりも大きければ、ユーザ装置は基地局に送信電力の減少を要求するであろう。送信電力の更新はスロットごとに、または３スロットごとに実行することができ、送信電力変化の１ステップは、デフォルトで１．０ｄＢであり、選択値として０．５ｄＢ、１．５ｄＢ、または、２．０ｄＢがある。
【００１１】
ＷＣＤＭＡ受信機のアウターループ型の送信電力制御は、推定されたブロック誤り率（ＢＬＥＲ、Ｂｌｏｃｋ  Ｅｒｒｏｒ  Ｒａｔｅ）とＢＬＥＲターゲット値との間の関係を使用することによりＳＩＲ基準値を決定する。ＢＬＥＲは、それぞれの転送ブロック（ＴＢ）に巡回冗長検査（ＣＲＣ、Ｃｙｃｌｉｃ  Ｒｅｄｕｎｄａｎｃｙ  Ｃｈｅｃｋ）を施し、正しくまたは誤って受信されたブロックに対する０または１のフラグを得て、さらに、いくつかの数のＴＴＩにわたって実効的なフィルタリングを行い、フィルタを通したＢＬＥＲ値を得ることにより推定することができる。現在のＴＴＩに対する瞬時ＢＬＥＲは、ＴＴＩの転送ブロックの総数に対する誤った転送ブロックの数の比として推定することができる。推定されたＢＬＥＲ（推定ＢＬＥＲ）値はその後、ＢＬＥＲターゲットと比較される。
【００１２】
基本的には、アウターループ型の送信電力制御は、推定ＢＬＥＲとＢＬＥＲターゲットとを比較することにより、ＳＩＲ基準値を調整することを試行する。推定ＢＬＥＲが所定のＢＬＥＲターゲットよりも高い場合には、ＢＳからより高い電力を得てそれによりブロック誤りを低減するために、次のＴＴＩに対するＳＩＲ基準値が増加される。同様に、推定ＢＬＥＲがＢＬＥＲターゲットよりも低い場合には、ターゲットとするユーザ装置に対して過大な送信電力を送らなくて済むように、ＳＩＲ基準値は減少される。従って、それぞれのＴＴＩの終了時には、そのＴＴＩに対する推定ＢＬＥＲに基づいて新しいＳＩＲ基準値が算出される。そして、この新しいＳＩＲ基準値は次のＴＴＩの間、インナーループによって使用される。
【特許文献１】国際公開ＷＯ００／４８３３５号公報
【特許文献２】米国出願公開ＵＳ２００３／００３６４０３号明細書
【発明の開示】
【発明が解決しようとする課題】
【００１３】
上記で述べたように、無線通信システムにおける送信機と受信機との間のリンクの物理チャネルは、正常な場合は同じスクランブリング符号を使用して送信される。すなわち、セルに割り当てられたプライマリスクランブリング符号である。しかし、いくつかのチャネルにおいて（例えば、ＤＰＣＨにおいて）いくつかの無線フレームに対してはセカンダリスクランブリング符号が使用され、他の無線フレームに対してはプライマリスクランブリング符号が使用されるという状況と、または、圧縮フレームに対しては代替スクランブリング符号が使用され、通常のフレームに対しては元のプライマリスクランブリング符号またはセカンダリスクランブリング符号が使用されるという状況とが生ずる。
【００１４】
しかしながら、あるスクランブリング符号で受信された信号に対して算出されたＳＩＲ基準値は、異なるスクランブリング符号で受信された信号に対しては最適ではないことが証明されているので、スクランブリング符号の間のこの切り替えは、送信電力制御に対して問題を生じさせる。従って、スクランブリング符号の間の切り替えは、その２つのスクランブリング符号のどちらに対しても最適でないＳＩＲ基準値を得る結果になってしまう。典型的には、ブロック誤りの量が増大し、その結果、ＳＩＲ基準値は、実際に必要なレベルと比べて高いレベルに上昇する。最終的な結果は、送信電力の浪費になる。
【００１５】
上記で述べた圧縮モードの場合では、例えば国際公開ＷＯ００／４８３３５号公報から、送信ギャップにおける送信電力の損失を補償するために、圧縮フレームを送信している間は送信電力を増加させることが知られている。それと同時に、高い送信電力レベルでも送信電力制御ループが動作し続けるように、受信機の中の送信電力制御閾値は増加される。もし、圧縮フレームを送信している間にスクランブリング符号が変更されなかったとすれば、このシステムは圧縮モードにおける送信電力制御を改善するであろうが、送信電力制御閾値は送信ギャップの長さから算出したある固定値だけ増加されるだけなので、このシステムはスクランブリング符号の間の切り替えは考慮に入れてない。
【００１６】
米国出願公開ＵＳ２００３／００３６４０３号明細書は、送信転送ブロックの異なる長さ等の、異なる転送フォーマットに対して複数の個別のアウターループを保持することを提案している。それぞれの転送フォーマットに対して、それに関連するアウターループは、規定されたターゲットＢＬＥＲが達成されるように、ターゲット信号対雑音プラス干渉比（ＳＮＩＲ、Ｓｉｇｎａｌ−ｔｏ−Ｎｏｉｓｅ−ｐｌｕｓ−Ｉｎｔｅｒｆｅｒｅｎｃｅ  Ｒａｔｉｏ）を設定することを試みる。この複数の個別のアウターループは、インナーループと共同して動作する総合アウターループを形成し、適正な送信電力制御コマンドを導出する。しかしながら、このシステムもまた、異なるスクランブリング符号に関わる問題点は考慮に入れていない。
【００１７】
従って、本発明の目的は、送信において異なるスクランブリング符号の間のシフトが生ずる場合に、この状況下における送信電力および／または伝送誤りの数を減少させることができるように、無線通信システムにおける送信電力制御を改善する方法を提供することである。
【課題を解決するための手段】
【００１８】
本発明によれば、目的は、前記アウターループの中で第１の品質測定の基準値と第２の品質測定の基準値とを選択的に調整するステップであって、前記第１の品質測定の基準値は、すべての信号が前記第１のスクランブリング符号を使用して送信される時間区間に対して算出された動作性能レベルに依存して調整され、前記第２の品質測定の基準値は、少なくともいくつかの信号が前記第２のスクランブリング符号を使用して送信される時間区間に対して算出された動作性能レベルに依存して調整されるステップと、送信電力制御コマンドを生成する前記ステップにおける品質測定の基準値として、すべての信号が前記第１のスクランブリング符号を使用して送信される時間区間の間の前記第１の品質測定の基準値と、少なくともいくつかの信号が前記第２のスクランブリング符号を使用して送信される時間区間の少なくとも１部分の間の前記第２の品質測定の基準値とを使用するステップとをさらに備える方法により達成される。
【００１９】
アウター送信電力制御ループの中に、２つの別々の品質測定の基準値が保持され、それらの内の最も適切な１つが、使用されるスクランブリング符号に依存して所与の時刻にインナー送信電力制御ループの中で使用される場合には、異なるスクランブリング符号の間でのシフトに対してこの送信電力制御を適合させることが可能であり、これにより、動作性能の要求レベルを犠牲にすることなく、すなわち、伝送誤りの量を増大させることなく、トータルでの送信電力を低減することができる。
【００２０】
上記で述べたように、本発明は、また、無線通信システムにおいて遠隔トランシーバから送信された信号を受信ためのトランシーバの中で送信電力制御コマンドを生成する、対応する方法に関する。
【００２１】
本発明の実施形態においては、信号は広帯域符号分割多元接続システムにおいて送信される。この場合、品質測定値は信号対干渉比として推定することができ、また、動作性能レベルはブロック誤り率として算出することができる。
【００２２】
１つの実施形態では、前記第１のスクランブリング符号はプライマリスクランブリング符号であってよく、また、前記第２のスクランブリング符号はセカンダリスクランブリング符号であってよい。あるいは、前記第１のスクランブリング符号はプライマリスクランブリング符号およびセカンダリスクランブリング符号のいずれかであってよく、前記第２のスクランブリング符号は代替スクランブリング符号であってよい。
【００２３】
第２のスクランブリング符号が代替スクランブリング符号であり、前記時間区間が複数のフレームを含む送信時間区間である場合には、少なくともいくつかの信号が前記第２のスクランブリング符号を使用して送信される送信時間区間のそれぞれは、信号が前記代替スクランブリング符号を使用して圧縮モードで送信されるフレームを少なくとも１つ含むことができる。
【００２４】
前記第２の品質測定の基準値が、少なくともいくつかの信号が前記第２のスクランブリング符号を使用して送信される送信時間区間のすべてのフレームにおいて、品質測定の基準値として使用される場合には、それぞれの送信時間区間の中でただ１つの品質測定の基準値が使用されるという単純な解が得られる。第１のスクランブリング符号だけを有する送信時間区間に対しては片方の品質測定の基準値が使用され、複数のスクランブリング符号のミックス（合成符号）、または第２のスクランブリング符号だけを有する送信時間区間に対しては他方の品質測定の基準値が使用される。
【００２５】
代替的実施形態においては、前記第２の品質測定の基準値は、少なくともいくつかの信号が前記第２のスクランブリング符号を使用して送信される送信時間区間の圧縮モードフレームにおいて、品質測定の基準値として使用される。また一方、前記第１の品質測定の基準値は、このような送信時間区間の他のフレームにおいて品質測定の基準値として使用される。このように、典型的により低い値を持つ第１の品質測定の基準値が、第１のスクランブリング符号を使用して送信されるミックスの送信時間区間の中でも使用されるので、追加の電力は節約することができる。
【００２６】
本方法は、前記第２の品質測定の基準値に加えて、少なくともいくつかの信号が前記第２のスクランブリング符号を使用して送信される時間区間に対して算出された動作性能のレベルに依存して、少なくともさらに１つの品質測定の基準値を調整するステップであって、前記第２の品質測定の基準値およびさらなる品質測定の基準値のそれぞれを、前記第２のスクランブリング符号を使用して送信される異なる量の信号に対して調整するステップと、少なくともいくつかの信号が前記第２のスクランブリング符号を使用して送信される時間区間の、少なくとも一部の間、前記第２の品質測定の基準値およびさらなる品質測定の基準値の内の１つを、前記第２のスクランブリング符号を使用して送信される信号の量に依存して、送信電力制御コマンドを生成するステップにおいて品質測定の基準値として使用するステップとを、さらに含むことができる。
【００２７】
上記で述べたように、本発明は、また、第１のスクランブリング符号および第２のスクランブリング符号の内の少なくとも１つを用いた無線通システムにおける遠隔トランシーバから送信された信号を受信するためのトランシーバに関する。ここに、前記トランシーバは、送信電力制御コマンドを生成するための制御装置を備え、前記制御装置は、トランシーバで受信された信号に対する品質測定値を繰り返し推定するための手段と、前記品質測定値と品質測定の基準値とに依存して送信電力制御コマンドを生成するための手段と、遠隔トランシーバにその送信電力制御コマンドを送信するための手段と、時間区間の間にトランシーバで受信された信号に対する動作性能レベルを算出するための手段と、前記動作性能レベルに依存して前記品質測定の基準値を調整するための手段とを備える。
【００２８】
前記調整手段は、第１の品質測定の基準値と第２の品質測定の基準値とを選択的に調整するように構成され、前記第１の品質測定の基準値は、すべての信号が前記第１のスクランブリング符号を使用して送信される時間区間に対して算出された動作性能レベルに依存して調整され、前記第２の品質測定の基準値は、少なくともいくつかの信号が前記第２のスクランブリング符号を使用して送信される時間区間に対して算出された動作性能レベルに依存して調整され、そして、前記生成手段は、品質測定の基準値として、すべての信号が前記第１のスクランブリング符号を使用して送信される時間区間の間は前記第１の品質測定の基準値を使用し、少なくともいくつかの信号が前記第２のスクランブリング符号を使用して送信される時間区間の少なくとも１部の間は前記第２の品質測定の基準値を使用するように構成される場合には、トランシーバは、送信において異なるスクランブリング符号の間のシフトが生ずる場合に、無線通信システムにおける送信電力制御の改善を達成し、この状況における送信電力および／または伝送誤りの数を減少させることができる。
【００２９】
本発明の実施形態では、トランシーバは、広帯域符号分割多元接続システムにおいて送信される信号を受信するように構成される。この場合、推定手段は、信号対干渉比で前記品質測定値を推定するように構成することができ、また、算出手段は、ブロック誤り率で前記動作性能レベルを算出するように構成することができる。
【００３０】
１つの実施形態では、前記第１のスクランブリング符号はプライマリスクランブリング符号であり、そして前記第２のスクランブリング符号はセカンダリスクランブリング符号である。あるいは、前記第１のスクランブリング符号はプライマリスクランブリング符号およびセカンダリスクランブリング符号のいずれかであり、前記第２のスクランブリング符号は代替スクランブリング符号である。
【００３１】
第２のスクランブリング符号が代替スクランブリング符号であり、前記時間区間が複数のフレームを含む送信時間区間である場合には、トランシーバは、少なくともいくつかの信号が前記第２のスクランブリング符号を使用して送信される送信時間区間のそれぞれが、信号が前記代替スクランブリング符号を使用して圧縮モードで送信されるフレームを少なくとも１つ含む、そのような信号を受信するように構成することができる。
【００３２】
前記生成手段が、前記第２の品質測定の基準値を、少なくともいくつかの信号が前記第２のスクランブリング符号を使用して送信される送信時間区間のすべてのフレームにおいて、品質測定の基準値として使用するように構成される場合には、それぞれの送信時間区間の中でただ１つの品質測定の基準値が使用されるという単純な解が得られる。第１のスクランブリング符号だけを有する送信時間区間に対しては片方の品質測定の基準値が使用され、複数のスクランブリング符号のミックス、または第２のスクランブリング符号だけを有する送信時間区間に対しては他方の品質測定の基準値が使用される。
【００３３】
代替的実施形態においては、前記生成手段は、前記第２の品質測定の基準値を、少なくともいくつかの信号が前記第２のスクランブリング符号を使用して送信される送信時間区間の圧縮モードフレームにおける品質測定の基準値として使用するように、また、前記第１の品質測定の基準値を、このような送信時間区間の他のフレームにおける品質測定の基準値として使用するように構成される。このように、典型的により低い値を持つ第１の品質測定の基準値が、第１のスクランブリング符号を使用して送信されるミックスされた複数の送信時間区間の中でも使用されるので、追加の送信電力を節約することができる。
【００３４】
調整手段は、前記第２の品質測定の基準値に加えて、少なくともいくつかの信号が前記第２のスクランブリング符号を使用して送信される時間区間に対して算出される動作性能のレベルに依存して、少なくともさらに１つの品質測定の基準値を調整し、前記第２のスクランブリング符号を使用して送信される異なる量の信号に対して、前記第２の品質測定の基準値およびさらなる品質測定の基準値のそれぞれを調整するようにさらに構成することができる。また、生成手段は、品質測定の基準値として、少なくともいくつかの信号が前記第２のスクランブリング符号を使用して送信される時間区間の少なくとも一部の間に、前記第２のスクランブリング符号を使用して送信される信号の量に依存して、前記第２の品質測定の基準値およびさらなる品質測定の基準値のいずれかを使用するように構成することができる。このように、トランシーバは、前記第２のスクランブリング符号を使用して送信される信号の異なる量に対してよりよく適合させることができる。
【００３５】
本発明は、また、上記に記載した方法を実行するための、プログラムコード手段を持つ、コンピュータプログラム、および、コンピュータ可読媒体に関する。
【００３６】
本発明は、以下で、図面を参照してより十分に記述される。
【発明を実施するための最良の形態】
【００３７】
図１は、無線通信システムにおける２つのトランシーバ１１と１２との間の通信を示す。この無線通信システムは、１例として、広帯域符号分割多元接続（ＷＣＤＭＡ）システムであってよい。ここに、２つのトランシーバは、異なる種類の情報を運ぶ無線信号を持つ、無線伝送チャネル１３を通して互いに通信している。この２つのトランシーバは、基地局１１と、移動端末または移動局１２である。移動局はまたユーザ装置（ＵＥ）に指定されてもよい。基地局１１は、他の（図示せず）移動局と通信を行うこともできる。情報は、基地局１１の中の送信機１４から移動局１２の中の受信機１５へ、チャネル１３を介して１方向に送信され（ダウンリンク）、また、移動局１２の中の送信機１６から基地局１１の中の受信機１７へチャネル１３を介して反対の方向に送信される（アップリンク）。無線伝送チャネル１３は、それぞれ、受信機１５および１７が送信信号を受信する前に送信信号に対してランダムで、また予知できない影響を与える。従って受信機は、処理された受信信号を形成し、送信された情報を再生するために、例えば、信号に対して、増幅、フィルタリング、周波数ダウンコンバート、サンプリング、逆拡散、復号、および、逆インターリーブ等を行うことにより、受信信号を処理する。
【００３８】
また、図１は、ダウンリンク伝送の送信電力制御を示す。移動端末１２の中の送信電力制御ユニット１８は、移動端末における受信信号の十分な品質を得るために、受信機１５で受信された信号の品質に基づいて、基地局に備えられた送信機１４の送信電力レベルが増加されるべきか減少されるべきかを指示する１つ以上の送信電力制御（ＴＰＣ、Ｔｒａｎｓｍｉｔ  Ｐｏｗｅｒ  Ｃｏｎｔｒｏｌ）コマンドを生成する。移動端末１２に関しては下記でより詳しく記述される。ＴＰＣコマンドは、その後、送信機１６からチャネル１３を介して基地局１１の中の受信機１７に送信され、基地局１１の中で、ＴＰＣコマンドは処理され、送信機１４の送信電力レベルを制御するのに使用される。同様に、送信電力制御ユニットは基地局１１の中でアップリンク送信の送信電力制御のために使用される。しかし、分りやすく説明するために、このユニットは図１には示されていない。
【００３９】
ＷＣＤＭＡにおいて送信される信号は、明確に規定されたタイミング構成に従って送信される。これは図２でダウンリンクの専用物理チャネル（ＤＰＣＨ、Ｄｅｄｉｃａｔｅｄ  Ｐｈｙｓｉｃａｌ  Ｃｈａｎｎｅｌ）について図示されている。１つの送信時間区間は、１ないし８個の無線フレームからなる。それぞれの無線フレームは１０ｍｓの継続時間を有し、１５スロットに分割される。１スロットは２５６０チップを含み、以下で記述されるように、１つの送信電力制御周期に対応する。従って、１つのＴＴＩは、１５個ないし１２０個のスロットを含むことができる。ＤＰＣＨの上では、それぞれのスロットは、２つのデータフィールドとしてデータ１およびデータ２と、３つの制御フィールドとを含む。２つのデータフィールドは、それらが一緒になって専用物理データチャネル（ＤＰＤＣＨ、Ｄｅｄｉｃａｔｅｄ  Ｐｈｙｓｉｃａｌ  Ｄａｔａ  Ｃｈａｎｎｅｌ）を構成する。３つの制御フィールドは、送信電力制御（ＴＰＣ）フィールドとＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールドとパイロットフィールドとであり、それらが一緒になって専用物理制御チャネル（ＤＰＣＣＨ、Ｄｅｄｉｃａｔｅｄ  Ｐｈｙｓｉｃａｌ  Ｃｏｎｔｒｏｌ  Ｃｈａｎｎｅｌ）を構成する。従ってダウンリンクＤＰＣＨは、ダウンリンクＤＰＤＣＨとダウンリンクＤＰＣＣＨとの時間多重であると見ることができる。ＴＰＣフィールドは、上記で述べたＴＰＣコマンドを送信するのに使用されるが、ダウンリンクＤＰＣＨの中で送信されるＴＰＣコマンドは、無論のことながら、アップリンク送信の送信電力制御のために使用される。一方で、ダウンリンク送信の送信電力制御に関連するＴＰＣコマンドは、アップリンクＤＰＣＣＨの中の対応するＴＰＣフィールドの中で、送信機１６から受信機１７へ送信される。データフィールド（およびパイロットフィールド）のチップは、受信機の中で逆拡散および復号され、送信機の中で拡散および符号化された元のデータビットに対応するデータシンボルが得られる。１スロットに対して使用されるシンボルの総数は、拡散率（ＳＦ）によって決定される。ＴＴＩは、送信されるべき情報に依存して、可変の継続時間を有する複数の転送ブロックに分割することができる。
【００４０】
図３を参照して送信電力制御ユニットに関するより詳しい記述が行われる。上記したように、受信信号の所与の品質を維持するために送信電力レベルを調整するという、閉ループ型の送信電力制御が使用される。制御ユニット１８は、移動端末１２の受信機の中に、比較的速いインナーループ型の送信電力制御と比較的遅いアウターループ型の送信電力制御とのための要素を備える。
【００４１】
インナーループにおいては、信号対干渉比（ＳＩＲ）値５１がＳＩＲ推定装置２３の中で１スロットごとに算出される。ＳＩＲ推定装置２３への入力は、専用パイロットシンボルからスロットの信号電力を推定する電力推定装置２１と、共通パイロットチャネル（ＣＰＩＣＨ）または専用パイロットシンボルのいずれかから干渉を推定する干渉推定装置２２とから供給される。これらの２つの入力からＳＩＲを算出することができる。ＳＩＲ推定装置２３で推定されたＳＩＲ値（またはそのフィルタを通した値）は、その後、インナーループ調整装置２４の中でＳＩＲ基準値５３（ターゲットＳＩＲ）と比較される。もし推定ＳＩＲが参照より小さければ、インナーループ調整装置２４は、送信電力制御（ＴＰＣ）コマンドをアップリンクの専用物理制御チャネル（ＤＰＣＣＨ）を介して送信し、ダウンリンクの専用物理チャネル（ＤＰＣＨ）に対する送信電力を増加させることを基地局に要求するであろう。一方、もし推定ＳＩＲが基準値より大きければ、インナーループ調整装置２４は、送信電力を減少させることを基地局に要求するであろう。送信電力の更新は、１スロットごと、または３スロットごとに実行され、送信電力の変更幅の１ステップは、デフォルトで１．０ｄＢであり、選択値として０．５ｄＢ、１．５ｄＢ、または２．０ｄＢがある。
【００４２】
インナーループ調整装置２４によって使用されるＳＩＲ基準値は、１つのＴＴＩに対する推定ブロック誤り率（ＢＬＥＲ）とＢＬＥＲターゲット値との関係を使用して、アウターループ調整装置２６によって決定される。１つのＴＴＩに対する瞬時ＢＬＥＲ値５２は、ＢＬＥＲ推定装置２５の中で、それぞれの転送ブロック（ＴＢ）に巡回冗長検査（ＣＲＣ）を行うことによって推定され、正しく受信されたブロックまたは間違えて受信されたブロックに対して０または１のフラグを得る。現在のＴＴＩに対する瞬時ＢＬＥＲは従って、誤った転送ブロックの数の、そのＴＴＩの転送ブロックの総数に対する比として推定することができる。従って、もしユーザ装置がｋ番目のＴＴＩにあり、その中にＮＴＢ（ｋ）個の転送ブロックが基地局から送信され、また、受信機におけるＣＲＣの実行によってＮＴＢ（ｋ）個の内のＮｅｒｒ（ｋ）個が誤っていることが判明したとすれば、現在のＴＴＩに対する瞬時ＢＬＥＲは、簡単に次式で表される。
ＢＬＥＲｍｏｍ（ｋ）＝Ｎｅｒｒ（ｋ）／ＮＴＢ（ｋ）                          〔１〕
瞬時ＢＬＥＲ値（またはＣＲＣフラグ）を、ある量のＴＴＩにわたってフィルタに通すことができる。このフィルタリングより、長時間にわたる推定ＢＬＥＲ、すなわちＢＬＥＲｆｉｌｔの値を得ることができる。
【００４３】
推定ＢＬＥＲ値（瞬時のおよび／またはフィルタを通した値）は、その後、アウターループ調整装置２６の中でＢＬＥＲターゲット値と比較され、更新されたＳＩＲ基準値が得られる。ＢＬＥＲターゲット値ＢＬＥＲｔａｒｇはシステムによって設定される。典型的なアウターループ送信電力制御アルゴリズムは、比例積分制御装置（ＰＩ  Ｃｏｎｔｒｏｌｌｅｒ、Ｐｒｏｐｏｒｔｉｏｎａｌ  Ｉｎｔｅｇｒａｌ  Ｃｏｎｔｒｏｌｌｅｒ）の一般化したものに基づいており、積分部分は次式のように算出される。
Ｉ（ｋ）＝ＣＩ＊Ｉ（ｋ−１）＋ＣＢ＊（ＢＬＥＲｆｉｌｔ（ｋ）−ＢＬＥＲｔａｒｇ）
〔２〕
そして、ＳＩＲ基準値は次のＴＴＩ、すなわち（ｋ＋１）番目のＴＴＩに対して、次式により更新することができる。
ＳＩＲｒｅｆ（ｋ＋１）＝ＳＩＲｒｅｆ（ｋ）＋ＣＳ＊〔ＢＬＥＲｍｏｍ（ｋ）−ＢＬＥＲｔａｒｇ〕＋Ｉ（ｋ）                                                          〔３〕
上式は、積分部分の初期値Ｉ（０）、およびＳＩＲ基準値の出発値ＳＩＲｒｅｆ（０）を持つ。上式の中の定数は、異なるＢＬＥＲターゲット値に対しては異なることができ、それにより、特に低いＢＬＥＲターゲット値に対して、送信電力制御の収束を加速することができる。
【００４４】
このように、アウターループ型の送信電力制御は、推定ＢＬＥＲとＢＬＥＲターゲットとを比較することにより、ＳＩＲ基準値を調整することを試みる。もし推定ＢＬＥＲが所定のＢＬＥＲターゲットよりも高ければ、基地局からより高い電力を得てそれによりブロック誤りを低減するために、ＳＩＲ基準値は次のＴＴＩに対しては増加される。同様に、もし推定ＢＬＥＲがＢＬＥＲターゲットよりも低ければ、ターゲットとするユーザ装置に対して過大な送信電力を送ることのないように、ＳＩＲ基準値は減少される。従って、それぞれのＴＴＩの終了時には、そのＴＴＩに対する推定ＢＬＥＲに基づいて新しいＳＩＲ基準値が算出される。そして、この新しいＳＩＲ基準値は次のＴＴＩの間、インナーループによって使用される。
【００４５】
上記で述べたように、ダウンリンクデータは、基地局１１の中の送信機１４から送信される前に、拡散される。送信機における拡散処理は図４に図示される。拡散処理は変調マッパステージ３１を含む。ここでは入力ディジットは実数値シンボルにマッピングされる。すなわち、２進値の０は実数値＋１にマッピングされ、また２進値の１は実数値−１にマッピングされる。次に、チャネライゼーションステージ３２において、Ｉ−Ｑフォーマット（同相および直交）にあるデータは、実数値のチャネライゼーション符号Ｃｃｈ，ＳＦ，ｍを乗算することにより、チップレートへと拡散される。ここにＳＦは拡散率である。ＩブランチとＱブランチには同じチャネライゼーション符号が使用される。従って、ＩブランチおよびＱブランチの上のそれぞれの入力シンボルに対する出力は、チャネライゼーション符号チップ系列に実数値のシンボルを乗算したものに対応した、ＳＦチップの系列になるであろう。チャネライゼーション符号に関しては以下でより詳しく記述される。
【００４６】
Ｑブランチの上の実数値チップ系列は、乗算器３３の中で虚数演算子ｊが複素乗算され、ＩＱ合成器３４の中で、Ｉブランチの上の対応する実数値チップ系列に加算される。そしてその結果、１つの複素数値チップ系列が得られる。最後にスクランブリングステージ３５において、複素数値チップの系列は、複素数値スクランブリング符号Ｓｄｌ，ｎによってスクランブルされる（複素数のチップにおける乗算）。
【００４７】
チャネライゼーション符号は、異なる物理チャネルの間の直交性を保持する、直交可変拡散率（ＯＶＳＦ）符号である。拡散率は５１２までの値を取ることができる。ＯＶＳＦ符号は、図５に図示される符号化ツリーに従って定義される。符号ツリーは最初にＳＦ＝２を持つ２つのブランチに分けられて、そして次に、これらのそれぞれは、ＳＦ＝４を持つさらに２つのブランチに分けられる。この処理はＳＦ＝５１２を持つブランチに到達するまで続けられる。図４および図５に示すように、チャネライゼーション符号は、一意的にＣｃｈ，ＳＦ，ｍと表される。ここに、ＳＦは符号の拡散率、ｍは符号数であり、０≦ｍ≦ＳＦ−１である。異なるブランチにおけるチャネライゼーション符号は、それらが異なる拡散率を有していても、直交している。しかし、チャネライゼーション符号は、それらの元の符号に対しては直交していない。例えば、Ｃｃｈ，４，０＝（１，１，１，１）は、Ｃｃｈ，４，１＝（１，１，−１，−１）、また、Ｃｃｈ，４，２＝（１，−１，１，−１）、Ｃｃｈ，４，３＝（１，−１，−１，１）、さらに、Ｃｃｈ，２，１＝（１，−１）とさえも直交している。しかし、Ｃｃｈ，２，０＝（１，１）とは直交していない。従って、もしチャネライゼーション符号が所与の符号ツリーの中で割り当てられるとすれば、直交性を保証するためには、より高い拡散率を持つ、その符号よりも下にある符号はすべて使用してはならない。直交性に対する要求条件の結果、特に、より高いデータレート、すなわち、より小さい拡散率に対しては、符号ツリーでの使用可能なチャネライゼーション符号の数はかなり限定される。
【００４８】
上記で述べたように、スクランブリング符号は、複素数値符号Ｓｄｌ，ｎであり、スクランブリングステージ３５の中で、複素数値チップの系列に複素数値符号Ｓｄｌ，ｎが、複素数のチップに乗算される。非常に多くの異なるスクランブリング符号が生成可能ではあるが、それらすべては使用されない。スクランブリング符号は５１２の組に分けられて、各組は、１つのプライマリスクランブリング符号と１５個のセカンダリスクランブリング符号とを含む。プライマリスクランブリング符号は、スクランブリング符号ｎ＝１６＊ｉ（ここにｉ＝０．．．５１１）から成る。ｉ番目の組のセカンダリスクランブリング符号は、スクランブリング符号ｎ＝１６＊ｉ＋ｋ（ここにｋ＝１．．．１５）から成る。１つの組の中で、それぞれのプライマリスクランブリング符号とその１５個のセカンダリスクランブリング符号との間には１対１のマッピングが存在する。ｉ番目のプライマリスクランブリング符号は、ｉ番目の組の１５個のセカンダリスクランブリング符号に対応している。それぞれのセルには、ただ１つだけのプライマリスクランブリング符号が割り当てられる。共通パイロットチャネル（ＣＰＩＣＨ）等のいくつかの物理チャネルは、常にプライマリスクランブリング符号を使用して送信されるが、他のダウンリンク物理チャネルは、プライマリスクランブリング符号か、または、そのセルのプライマリスクランブリング符号に関連付けられた組に含まれているセカンダリスクランブリング符号を使用して送信することができる。
【００４９】
従って、８１９１個のスクランブリング符号がプライマリスクランブリング符号またはセカンダリスクランブリング符号として使用される。さらに、それぞれのプライマリスクランブリング符号およびセカンダリスクランブリング符号は、２つの代替スクランブリング符号に関連づけられる。すなわち、左代替スクランブリング符号（ｌｅｆｔ  ａｌｔｅｒｎａｔｉｖｅ  ｓｃｒａｍｂｌｉｎｇ  ｃｏｄｅ）と右代替スクランブリング符号（ｒｉｇｈｔ  ａｌｔｅｒｎａｔｉｖｅ  ｓｃｒａｍｂｌｉｎｇ  ｃｏｄｅ）であり、これは圧縮フレームに対して使用することができる。
【００５０】
圧縮モードは、ＷＣＤＭＡの中でユーザ装置が異なる複数の周波数間のハンドオーバを行う間に、異なる搬送波周波数の上で必要な測定を行う時間を必要とするときに使用される。ユーザ装置がこれらの測定を実行することができるように、フレームの内のいくつかのスロット（典型的には１フレーム当たり１ないし７スロット）がこの目的に割り当てられ、従ってフレームの中に送信ギャップが生ずる。このようなフレームは、そのフレームの残りのスロットだけが情報の正常な送信のために利用されるので、圧縮フレームと呼ばれる。典型的には、圧縮フレームは周期的に生ずるが、必要に応じて要求されることもある。種々のレートと型の圧縮フレームを使用することができ、それらは環境および測定の要求条件に依存している。
【００５１】
図６は圧縮モードを図示したものである。図中では、１連のＴＴＩが送信され、この場合はそれぞれのＴＴＩは４つのフレームから成る。いくつかのＴＴＩは４つの通常のフレームを含むが、他のＴＴＩは圧縮フレームを含んでいることがわかる。１例として、ｋ番目のＴＴＩの第２のフレームは、そのフレームの中央で生ずる送信ギャップで圧縮されている。示されているように、スロットの数が減少したことに影響を受けない品質（例えばＢＬＥＲ）を維持するために、圧縮フレームの残りのスロットに対して瞬時送信電力は増加されている。送信電力の増加量は、送信時間の減少に依存している。例えば、７スロットが送信ギャップのために使用された場合には、それは、データの送信のためにその圧縮フレームの約半分しか使用することができないことを意味する。図６では、圧縮フレームの送信電力は、それに対応して正常な送信電力レベルの約２倍のレベルに増加されている。
【００５２】
さらに、圧縮フレームの中でも送信される情報の量を維持するために、拡散率を２：１だけ低減させることができる。拡散率を２：１だけ低減させることはデータレートを増加させて、データシンボルは２倍の速度で送信されることになるからである。しかしながら、拡散率を変えることは、直交性を維持するために、符号ツリーの中のいくつかのまたはすべてのチャネライゼーション符号の再割り当てを必要とする可能性が高い。従って、もし、基地局が元の拡散率ＳＦの半分に等しい拡散率を持つチャネライゼーション符号を用いなければならないとすれば、ＳＦ／２のブランチの下に位置する符号は、他のチャネルによって既に使われているかもしれない。１例として、通常モードに対する符号Ｃｃｈ，４，０の代わりに、圧縮モードに対してＣｃｈ，２，０を用いなければならなく、また、ブランチＣｃｈ，４，１の下のいくつかの符号が他のチャネルによって使用されているとすれば、直交性は破られる。ブランチＣｃｈ，４，１の下の符号が通常モードに対して自由に使用することができるとしても、拡散率を低減した圧縮モードのために、それらはブロックされるであろう。
【００５３】
この再割り当てを回避するために、送信機はその代わりに、圧縮フレームに対して代替スクランブリング符号に切り替えることができる。なぜならば、異なるスクランブリング符号は、別の符号ツリーからのチャネライゼーション符号を使用することができることを意味するからである。スクランブリング符号の相関は雑音に似ているので、チャネライゼーション符号の相関は、符号ツリーの同じブランチの下にあるものであっても、もしそれらが異なるスクランブリング符号を使用したものであれば、相当程度低い値である。従って、圧縮フレームは代替スクランブリング符号で送信されるが、その他のフレームは正常なスクランブリング符号で、すなわち、プライマリスクランブリング符号またはセカンダリスクランブリング符号で送信される。図６に示すように、圧縮フレームは、ネットワークによって決定されるパターンで生ずるので（典型的に、しかし必ずしもではないが、圧縮フレームは圧縮フレームを有するＴＴＩの中で同じフレーム位置にある）、正常なスクランブリング符号と代替スクランブリング符号との間の切り替えはあるであろう。従って、いくつかのＴＴＩに対しては、すべてのフレームは同じスクランブリング符号で送信されるであろう。また、他のＴＴＩは、異なる複数のスクランブリング符号のミックスで送信される。通常モードにある基地局がプライマリスクランブリング符号とセカンダリスクランブリング符号の１つとの間を切り替える場合に、同様の状況が生ずる。２つ以上の符号ツリーを使用することにより、基地局は極力高速のデータレートを多くのユーザに提供することができる。上記で議論をしたように、基地局はこの目的のために使用可能な十分に多量のチャネライゼーション符号が必要である。従って基地局は、必要に応じて、プライマリスクランブリング符号に加えてセカンダリスクランブリング符号を使用するのが有益であり、またその場合には、スクランブリング符号の間の切り替えが行われるであろう。
【００５４】
いくつかのＴＴＩはすべてのフレームに対して同じスクランブリング符号で送信され、他のＴＴＩは異なる複数のスクランブリング符号のミックスで送信されるという事実は、送信電力制御に対する問題を生じさせる。これは、あるスクランブリング符号で受信された信号に対して算出されたＳＩＲ基準値は、異なるスクランブリング符号で受信された信号に対しては最適ではないことが証明されているからである。従って、スクランブリング符号間の切り替えは、その２つのスクランブリング符号のどちらにも最適でないＳＩＲ基準値を得る結果をもたらす。典型的に、ブロック誤りの量が増大し、その結果、ＳＩＲ基準値は、実際に必要なレベルと比べて高いレベルに上昇する。最終的な結果は、送信電力の浪費になる。
【００５５】
図７は、この状況下で、送信電力制御機能を改善するために、送信電力制御ユニット１８をどのように修正することができるかを示す。修正された送信電力制御ユニット４０では、送信電力制御は２つのタイプのＴＴＩに対して独立になされる。２つのタイプとは、すべてのフレームが同じスクランブリング符号で送信されるタイプと、異なるスクランブリング符号で送信されるフレームを含むタイプとである。以下の記述では、修正された送信電力制御ユニット４０は、上記で述べた圧縮モードの場合を参照して記述される。ここに、いくつかのフレームは代替スクランブリング符号を使用して送信される。しかし、基地局がプライマリスクランブリング符号とセカンダリスクランブリング符号の１つとの間を切り替える場合にも、同じ解決手法を適用することができる。
【００５６】
図３の送信電力制御ユニット１８と比較すると、送信電力制御ユニット４０では、アウターループ型の送信電力制御に対する構成要素が修正されている。ＢＬＥＲ推定装置２５は、以前のものと同様に、それぞれのＴＴＩに対するＢＬＥＲ値５２を推定する。しかし、アウターループ調整装置４６は、ここでは、２つの異なるＳＩＲ基準値５４および５５を更新する。ＳＩＲ基準値５４および５５は、すべてのフレームが通常モードにあってプライマリスクランブリング符号（またはセカンダリスクランブリング符号）でスクランブルされているＴＴＩに対するＳＩＲｒｅｆ１、および、少なくとも１つのフレームが圧縮モードにあって代替スクランブリング符号でスクランブルされているＴＴＩに対するＳＩＲｒｅｆ２である。これらの２つのＳＩＲ基準値は、それぞれ、レジスタ４７および４８の中に記憶される。現在のＴＴＩの中に使用されているスクランブリング符号の型を指示する、アウターループ調整装置４６に対する入力は、どちらのＳＩＲ基準値を更新するかを決定する。従って、例えば、すべてのフレームが通常モードであるＴＴＩの終了時に、そのＴＴＩに対して推定されたＢＬＥＲおよびＳＩＲｒｅｆ１の以前の値に基づいてＳＩＲｒｅｆ１が更新される。このＳＩＲｒｅｆ１の以前の値は、圧縮フレームを持つＴＴＩが途中に存在した可能性があるので、必ずしも直前のＴＴＩに対して算出された値ではない。同様に、少なくとも１つのフレームが圧縮モードであるＴＴＩの終了時にＳＩＲｒｅｆ２が更新される。従って、ＳＩＲ基準値を更新するためのアウターループ送信電力制御アルゴリズムは次式で表すことができる。
Ｉ（ｋ）＝ＣＩ＊Ｉ（ｋ−１）＋ＣＢ＊（ＢＬＥＲｆｉｌｔ（ｋ）−ＢＬＥＲｔａｒｇ）
〔４〕
および、
ＳＩＲｒｅｆ（ｋ＋ｍ）＝ＳＩＲｒｅｆ（ｋ）＋ＣＳ＊〔ＢＬＥＲｍｏｍ（ｋ）−ＢＬＥＲｔａｒｇ〕＋Ｉ（ｋ）                                                          〔５〕
上式は以前と同様に、積分部分の初期値Ｉ（０）、およびＳＩＲ基準値の出発値ＳＩＲｒｅｆ（０）を持つ。また、ｍは、ｋ番目のＴＴＩの終了時に算出されたＳＩＲ基準値は直後に続くＴＴＩに対して必ずしも使用されないことを示す。
【００５７】
式〔４〕および式〔５〕の中の定数、すなわち、ＣＩ、ＣＢ、および、ＣＳは、動作性能を最適にするために、代替スクランブリング符号を用いた圧縮モードと通常モードに対して異なっていてもよい。あるいは、両方のモードに対して同じ値の定数を用い、通常モードと圧縮モードとの間の唯一の相違は、式〔５〕の中の古いＳＩＲ基準値ＳＩＲｒｅｆ（ｋ）は２つのモードに対して異なるようにし、更新されたＳＩＲ基準値は同じモードを持つ次のＴＴＩに対してのみ適用されるようにしてもよい。
【００５８】
ＳＩＲ基準値選択装置４９では、現在の／次のＴＴＩの中で使用されるスクランブリング符号のタイプを示す入力によって、インナーループ調整装置２４におけるＳＩＲ基準値５６として、２つのＳＩＲ基準値の内のどちらをこのＴＴＩに対して使用するかが決定される。この入力信号は基地局から受信する情報に基づく。
【００５９】
図８は、ＢＬＥＲ推定装置２５、アウターループ調整装置４６、および、ＳＩＲ基準値選択装置４９の中で実行される計算を示すフローチャート１００である。ステップ１０１において、瞬時ＢＬＥＲ値およびフィルタを通したＢＬＥＲ値が、ＴＴＩの終了時にこのＴＴＩに対して、ＣＲＣフラグから算出される。ステップ１０２において、このＴＴＩが通常のフレームだけを含むか、または、圧縮フレームが含まれるかの判定を行う。もしＴＴＩのすべてのフレームが通常モードであったならば、ＳＩＲ基準値ＳＩＲｒｅｆ１はステップ１０３において更新される。一方もし、圧縮フレームが含まれていたら、ＳＩＲ基準値ＳＩＲｒｅｆ２はステップ１０４において更新される。そして、ステップ１０５において、次のＴＴＩは通常のフレームだけを含むか、または、圧縮フレームが含まれるかの判定を行う。もし次のＴＴＩのすべてのフレームが通常モードであれば、ＳＩＲｒｅｆ１の値がステップ１０６においてＳＩＲ基準値として選択されるであろう。一方もし、次のＴＴＩの中に圧縮フレームが含まれていれば、ＳＩＲｒｅｆ２の値がステップ１０７においてＳＩＲ基準値として選択されるであろう。最後にステップ１０８において、選択されたＳＩＲ基準値は、インナーループ調整装置２４に供給される。
【００６０】
図９は、この２つのＳＩＲ基準値は、一連のＴＴＩの間に、どのようにして更新され使用されるかを図示したものである。ここに一連のＴＴＩにおいて、その内のいくつかのＴＴＩはそのすべてのフレームが通常モードにあり、他のＴＴＩは圧縮フレームを含む。図示の目的で、図中では、ＴＴＩはそれぞれ４つのフレームを持つとして示されている。しかし、１つのＴＴＩの中のフレームの数は１個から８個までの間で任意の数を取ることができる。１例として、ＴＴＩｋは１つの圧縮フレームを含み、従って、このＴＴＩの間は、インナーループ調整装置はインナーループに対するＳＩＲ基準値として、ＳＩＲｒｅｆ２を使用する。ＴＴＩｋの終了時に、このＴＴＩに対して推定されたＢＬＥＲ値に基づいてＳＩＲｒｅｆ２が更新される。ＳＩＲｒｅｆ２のこの更新された値は、やはり圧縮モードフレームを含むＴＴＩｋ＋２の中で使用される。一方、すべてのフレームが通常モードにあるＴＴＩｋ＋１の間はＳＩＲｒｅｆ１が使用される。
【００６１】
図１０は、２つのタイプのＴＴＩに対して独立に送信電力制御を行うことの効果を図示したものである。曲線は、圧縮フレームの間はＤＰＣＨに対して代替スクランブリング符号が使用された場合、送信電力制御の時間の過程における、すなわち多くの数のＴＴＩにわたっての、ＳＩＲ基準値のレベルを示す。これらの曲線は、式〔４〕および式〔５〕の中の定数をＣＩ＝０、ＣＢ＝０．２５、および、ＣＳ＝０．２５と設定し、ＢＬＥＲターゲットを１％と設定したときのシミュレーションの結果である。一番上の曲線は、唯一の共通なＳＩＲ基準値が正常なＴＴＩと圧縮フレームを持つＴＴＩの両方に対して更新される場合であり、下の２つの曲線は、２つの別々のＳＩＲ基準値が、それぞれ、すべてのフレームが通常モードにあるＴＴＩに対して更新される場合（ＳＩＲｒｅｆ１）、および、圧縮フレームを含むＴＴＩに対して更新される場合（ＳＩＲｒｅｆ２）である。後者の場合では、この２つのＳＩＲ基準値は、送信電力制御の時間の過程で、自動的に互いに分離して行くことがわかる。さらに、唯一の共通なＳＩＲ基準値を用いた場合と比較すると、オーバーシュートが減少し、収束したＳＩＲ基準値が、より雑音的でなくなっている。曲線から以下のことがわかる。すなわち、もしすべてのＴＴＩが、例えばプライマリスクランブリング符号で送信されたならば、ただ１つのＳＩＲ基準値が更新されるとする公知の解決手法では、例えば５０００ＴＴＩの後のＳＩＲ基準値が約４になるであろう。しかしながら、もし、スクランブリング符号の間の切り替えを行ったならば、同じチャネル条件で、その解のＳＩＲ基準値は、４ではなくて約１９となり、それに対応して送信電力の量が増加されるであろう。一方、２つのＳＩＲ基準値が更新されるとする解決手法では、図からわかるように、元のスクランブリング符号を使用して送信されたフレームだけを含むＴＴＩに対してはＳＩＲ基準値を約４に維持するであろう。また、代替スクランブリング符号を使用して送信されたフレーム含むＴＴＩに対する別のＳＩＲ基準値は約１６となるであろう。このことは、ＢＬＥＲを劣化させることなく、非常に多くの量の送信電力が節約できることを意味する。シミュレーションによって、これらの条件下において、１つではなく２つの別々のＳＩＲ基準値を使用することにより、平均送信電力レベルを低減できること、また同時にＢＬＥＲ推定値が低減されたことが示された。
【００６２】
上記に示した解決手法では、２つの別々に更新されたＳＩＲ基準値の内の１つ、すなわち、ＳＩＲｒｅｆ１は、すべてのフレームが通常モードにあるＴＴＩの間、インナーループ調整装置２４の中で使用される。また、もう一方、すなわち、ＳＩＲｒｅｆ２は、通常のフレームと圧縮フレームとのミックスを有するＴＴＩに対して使用される。これもまた図９に示されている。しかし、後者のタイプのフレームの間、ＳＩＲ基準値を切り替えて、通常のフレームに対してはＳＩＲｒｅｆ１を用い、圧縮フレームに対してのみＳＩＲｒｅｆ２を使用するようにすることも可能であろう。これは図１１に示されている。図にも示されているように、２つのＳＩＲ基準値は、上記で述べたようにここでも同様に更新される。すなわち、ＳＩＲｒｅｆ１は通常のフレームだけを有するＴＴＩの終了時に更新される。一方、ＳＩＲｒｅｆ２は、少なくとも１つの圧縮フレーム有するＴＴＩの終了時に更新される。この方法では、すべての通常のフレームに対してより低い値のＳＩＲｒｅｆ１が使用され、圧縮フレームに対してだけより高い値のＳＩＲｒｅｆ２が使用されるので、送信電力をさらに低減することができる。
【００６３】
上記で述べた例では、２状態モデルが使用された。ここでは、１つの状態は、代替スクランブリング符号を使用して送信を行う部分を覆うＴＴＩに対するＳＩＲ基準値を表す。もう１つの状態は、プライマリスクランブリング符号を使用して送信を行う部分と完全に一致するするＴＴＩに対して使用される。しかし、モデルは２状態より多くの状態を含むように拡張することもできるであろう。代替スクランブリング符号で行われる送信を覆うＴＴＩの量によっては、多くのＳＩＲ状態も定義できるであろう。従って、１例として、それぞれが４フレームを有する図９のＴＴＩに対して、通常モードのフレームだけを有するＴＴＩに対するＳＩＲ基準値に加えて、１つ、２つ、３つ、または、４つの圧縮フレームを有するＴＴＩに対するＳＩＲ基準値を定義することができるであろう。しかし、定義する状態の数が多くなれば、状態の統計値が更新される頻度が低くなり、システム応答が遅くなる結果を招く可能性がある。従って、ここで記述した２状態モデルは、よい選択であると思われる。圧縮モードのフレームはかなりの頻度で、例えば、３ないし７フレームごとに、生ずるので、２状態モデルを更新するときのデータの不足はないであろう。
【００６４】
上記では、本発明は、通常モードのフレームの中で使用される１つのスクランブリング符号（プライマリまたはセカンダリ）と圧縮フレームの中で使用される代替スクランブリング符号との間の切り替えに関連して記述された。しかしながら、記述された解決手法は、例えば、基地局がプライマリスクランブリング符号とそれに対応するセカンダリスクランブリング符号の１つとの間を切り替える場合等の、異なる複数のスクランブリング符号の間のシフトを行う他の状況においても、まさに同様に適切である。
【００６５】
本発明の好適な実施形態が記述され説明されたが、本発明は、これに限定されるものではなく、添付の特許請求の範囲によって画定される対象の範囲内の中で、他の方法で実施することも可能である。
【図面の簡単な説明】
【００６６】
【図１】無線通信システムにおける２つのトランシーバの間の通信を示す図である。
【図２】ＷＣＤＭＡシステムのダウンリンクＤＰＣＨに対するタイミング構成を示す図である。
【図３】図１のシステムのトランシーバに対する公知の送信電力制御ユニットを示す図である。
【図４】図１のシステムの送信機における拡散処理を示す図である。
【図５】ＷＣＤＭＡシステムのＯＶＳＦチャネライゼーション符号に対する符号ツリーを示す図である。
【図６】ＷＣＤＭＡシステムにおける圧縮モードの使用を示す図である。
【図７】２つの分別々のＳＩＲ基準値を維持するように修正された送信電力制御ユニットを示す図である。
【図８】図７の制御ユニットにおいて実行される計算を示すフローチャートである。
【図９】１連の送信時間区間の間に、どのようにして２つのＳＩＲ基準値が更新され使用されるかの１例を示す図である。
【図１０】２つの別々のＳＩＲ基準値を使用することの効果を示す図である。
【図１１】１連の送信時間区間の間に、どのようにして２つのＳＩＲ基準値が更新され使用されるかの代替的例を示す図である。
【図１】
2009533913.tif 000003
【図２】
2009533913.tif 000004
【図３】
2009533913.tif 000005
【図４】
2009533913.tif 000006
【図５】
2009533913.tif 000007
【図６】
2009533913.tif 000008
【図７】
2009533913.tif 000009
【図８】
2009533913.tif 000010
【図９】
2009533913.tif 000011
【図１０】
2009533913.tif 000012
【図１１】
2009533913.tif 000013
【国際調査報告】
2009533913.tif 000014
2009533913.tif 000015